(57)【要約】      （修正有）【課題】土佐錦魚の尾鰭形成に良く、軽くて移動に便利で日当たりの良い丸鉢を提供する。【解決手段】上面内径５７０ｍｍ、底面内径２００ｍｍで、側面は、上面と底面を結ぶ傾斜角４５°を基本とし、最大２０ｍｍの湾曲をつけ、底面には中央部に排水詮を設け、清掃を容易にする為に最大１０ｍｍの湾曲をつけ、上面に飼育場所の日当りにより、２０〜５０ｍｍの範囲で立ち上がりを付け、最深部２４５ｍｍ、以上の構成からなる土佐錦魚飼育鉢。【選択図】図１
0003131710.tif 000002
【実用新案登録請求の範囲】
【請求項１】
形状。上面内径５７０ｍｍ、底面内径２００ｍｍ、傾斜角４５°の擂鉢状を基本とし、最深部は２４５ｍｍである。また側面及び底面に湾曲をつけた。側面の湾曲は水量を確保することが大きな目的である。さらに傾斜が直線では土佐錦魚が泳ぎにくく良魚が得られないという問題がある。また底面の湾曲は魚の糞が中央部の排水詮付近に集まり排水時に清掃を容易にすることを目的とした。更に上面には２０〜５０ｍｍの立ち上がりをつけている。２０ｍｍの立ち上がりは地震時の水のこぼれと魚の散逸を防ぐ為の必要最低の高さであり日当りの悪い場所での使用を目的としている。また５０ｍｍの立ち上がりは、日当りの良い場所での使用を目的とし、僅かな日陰を作る事で魚を直射から守るという意味合いがある。但し５０ｍｍ以上の立ち上がりは日陰を多く作ってしまう為、魚の泳ぎに問題が生じるため許容範囲を超えてしまう。
【請求項２】
鉢内面の表面仕上げ。モルタルの場合は表面が凸凹状態なので考慮の必要はないがＦＲＰ等の滑らかな材質の場合は表面に凸凹をつける。この凸凹には２種類ある。１つは大きな凸凹で直径５ｃｍ程度の小山状の物を鉢内面にちらす。但しこの小山の高さが問題で基底面より３ｍｍ以内に抑える必要がある。他方の小さな凸凹はヤスリがけによるものである。具体的には６０番よりも粗いヤスリ（粗ければ粗い程良い）で内面全体をヤスリがけする。大きな凸凹は苔の量と質を高める作用があり、小さな凸凹は苔の活着を促進し、質を良くするためである。苔は水の安定に欠かせないもので良質の土佐錦魚を得るためには欠かせないものとなる。
【請求項３】
保温。鉢の外側に最低１５ｍｍの発泡ウレタン、フォームポリスチレン等による保温をする。厚ければ厚いほど良いが平均２０ｍｍは必要最低限である。これは鉢内の水温の急上昇及び急下降を防ぐためのもので急激な水温の温度変化から魚を守る意味合いがある。特に土佐錦魚の場合、比較的水量の少ない鉢を真夏でも炎天下に曝す特殊な飼育法のため、真夏の強烈な輻射熱等から魚を守るという保温が欠かせないものとなる。
【考案の詳細な説明】
【技術分野】
【０００１】  本考案は、高知県の天然記念物に指定されている土佐錦魚を飼育するに当り必要不可欠な丸鉢と呼ばれる特殊な飼育容器に関するものである。
【背景技術】
【０００２】  従来の技術は製作者によりまちまちで一定の型はない。
お碗型と呼ばれる側面の湾曲の強いものや擂鉢型と呼ばれる擂鉢を大きくしたもの、昨今ではＦＲＰを用いた半球状のものがある。しかしながらどの鉢も経験則や製作し易さからきており良質な土佐錦魚ができる丸鉢の細部に及ぶ数字的な裏付けがなされていないのが現状である。
【考案の開示】
【考案が解決しようとする課題】
【０００３】  従来の丸鉢は日受け（日当り）、水量、水温をトータル的に考えに入れて作られてはいなかった。お碗型の丸鉢では側面の湾曲を強くすることで水量が増し水温の急上昇を防ぐという利点はあっても側面の湾曲を強くしたために日陰の部分が多くできてしまい、魚の泳ぎに悪影響が出てしまう。その逆に擂鉢型では日受けはいいものの水量が少なくなることから水温の急激な変化が課題となってきた。お椀型及び擂鉢型と呼ばれる従来の鉢には鉢の上面部に立ち上がりが無いために地震発生時に鉢内の水が大量にこぼれ、魚も散逸するといった被害が起きている。また従来の丸鉢はモルタル製が主であり、重くて持ち運び、据付に不便であった。
【課題を解決するための手段】
【０００４】  本考案は、水量、水深、日受け（水面と底面の比率及び側面の湾曲）の関係を明確化し数値化した。またモルタル以外の滑らかな材質を用いても鉢内面の表面加工を施すことにより苔の活着を妨げないようにした。更に保温をすることで水温の急激な変化を緩和し魚への悪影響を排除した。特に保温に関しては、比較的水量の少ない鉢を真夏でも炎天下に曝す特殊な飼育法のため強烈な輻射熱から魚を守るという意味合いがある。また上面部に立ち上がりを付けることで地震発生時の水のこぼれや魚の散逸を防ぐことができる。
【考案の効果】
【０００５】  本考案は日照時間の長短による影響を考え、上面部の立ち上がりの調整でどのような設置場所でも良質な土佐錦魚が作り出せる形状を提示した。上面内径５７０ｍｍ、底面内径２００ｍｍは土佐錦魚稚魚期の泳ぎを決定づける重要な数値である。この数値より１００ｍｍ大きくても小さくても泳ぎに支障をきたす。側面傾斜４５°の擂鉢状を基本とし、最深部は２４５ｍｍである。また側面及び底面に湾曲をつけた。側面の湾曲は水量を確保することと魚が泳ぎや易くすることが大きな目的である。泳ぎを良くすることは良質な土佐錦魚を作る上で欠かせない要素である。また底面の湾曲は魚の糞が中央部の排水詮付近に集まり排水時に清掃を容易にすることを目的とした。更に上面には２０〜５０ｍｍの立ち上がりをつけている。２０ｍｍの立ち上がりは地震時の水のこぼれと魚の散逸を防ぐ為の必要最低の高さであり日当りの悪い場所での使用を目的としている。また５０ｍｍの立ち上がりは、日当りの良い場所での使用を目的とし、僅かな日陰を作る事で魚を直射から守るという意味合いがある。但し５０ｍｍ以上の立ち上がりは日陰を多く作ってしまう為、魚の泳ぎに悪影響を与え、許容範囲を超えてしまう。また鉢の外側には１５ｍｍ以上の厚さで保温材を取り付けることで急激な水温の上昇、下降を緩和している。土佐錦魚を丸鉢飼育する場合、その特徴である尾鰭の発育を促す為、エアレーションは行われない。そこで水質の悪化を防ぐ為には鉢内面の苔の働きが重要となってくる。この苔の活着を良くする為にＦＲＰなどの滑らかな材質を使用する場合は６０番より粗い目のヤスリで表面処理を施す。
【考案を実施するための最良の形態】  図面を用いて考案を実施するための最良の形態を説明する。図１は本考案の土佐錦魚飼育鉢の実施形態を示す縦断正面図、図２は上面図である。
【図面の簡単な説明】
【図１】  本考案の土佐錦魚飼育鉢実施形態を示す縦断正面図である。
【図２】  本考案の土佐錦魚飼育鉢実施形態を示す上面図である。
【図１】
0003131710.tif 000003
【図２】
0003131710.tif 000004
【手続補正書】
【提出日】平成18年8月29日(2006.8.29)
【手続補正１】
【補正対象書類名】実用新案登録請求の範囲
【補正対象項目名】全文
【補正方法】変更
【補正の内容】
【実用新案登録請求の範囲】
【請求項１】
形状において、
（１）上面内径５７０ｍｍ、
（２）底面内径２００ｍｍ、
（３）側面は、上面と底面を結ぶ傾斜角４５°を基本とし、最大２０ｍｍの湾曲をつけ、
（４）底面には中央部に排水詮を設け、清掃を容易にする為に最大１０ｍｍの湾曲をつけ、
（５）上面に飼育場所の日当りにより、２０〜５０ｍｍの範囲で立ち上がりを付け、
（６）最深部２４５ｍｍ、
以上の構成からなる土佐錦魚飼育鉢。
【請求項２】
鉢内面において、モルタル以外の軟らかい材質（ＦＲＰ等）の場合は、
（１）直径５ｃｍ、高さ３ｍｍ以内の小山状の突起を鉢内面にちらし、
（２）目合い６０番よりも粗い目のヤスリで鉢内面全てをヤスリがけ、
以上の構成からなる土佐錦魚飼育鉢。
【請求項３】
鉢外面において、最低１５ｍｍの発泡ウレタン、フォームポリスチレン等の貼り付けによる保温効果を施された土佐錦魚飼育鉢。
【手続補正２】
【補正対象書類名】明細書
【補正対象項目名】全文
【補正方法】変更
【補正の内容】
【考案の詳細な説明】
【技術分野】
【０００１】  本考案は、高知県の天然記念物に指定されている土佐錦魚を飼育するに当り必要不可欠な丸鉢と呼ばれる特殊な飼育容器に関するものである。
【背景技術】
【０００２】  土佐錦魚は高知県の天然記念物に指定されていることからも判る通り、高知県で作出された日本四大地金魚の１つである。この作出に当っては諸説があるが、矢野城楼著「土佐錦魚の四季」に詳しい。ここで注目すべき点は、土佐錦魚独特の大きな尾鰭とその形状は土佐の強い日差しと飼育容器の丸鉢による所が大きいところである。丸鉢の原型は水産物加工用の二尺の擂鉢だった。この擂鉢に錦魚をいれて飼育したところ独特の尾鰭を持つ土佐錦魚が出現したわけである。セメントが普及してくると、飼育者はより良い鉢を求めて試行錯誤することになるが、その技術は製作者によりまちまちで一定の型はない。
お碗型と呼ばれる側面の湾曲の強いものや擂鉢型と呼ばれる擂鉢を大きくしたもの、昨今ではＦＲＰを用いた半球状のものがある。しかしながらどの鉢も経験則や製作し易さからきており良質な土佐錦魚ができる丸鉢の細部に及ぶ数字的な裏付けがなされていないのが現状である。
【考案の開示】
【考案が解決しようとする課題】
【０００３】  従来の丸鉢は日受け（日当り）、水量、水温をトータル的に考えに入れて作られてはいなかった。お碗型の丸鉢では側面の湾曲を強くすることで水量が増し水温の急上昇を防ぐという利点はあっても側面の湾曲を強くしたために日陰の部分が多くできてしまい、魚の泳ぎに悪影響が出てしまう。その逆に擂鉢型では日受けはいいものの水量が少なくなることから水温の急激な変化が課題となってきた。お椀型及び擂鉢型と呼ばれる従来の鉢には鉢の上面部に立ち上がりが無いために地震発生時に鉢内の水が大量にこぼれ、魚も散逸するといった被害が起きている。また従来の丸鉢はモルタル製が主であり、重くて持ち運び、据付に不便であった。
【課題を解決するための手段】
【０００４】  本考案は、水量、水深、日受け（水面と底面の比率及び側面の湾曲）の関係を明確化し数値化した。またモルタル以外の滑らかな材質を用いても鉢内面の表面加工を施すことにより苔の活着を妨げないようにした。更に保温をすることで水温の急激な変化を緩和し魚への悪影響を排除した。特に保温に関しては、比較的水量の少ない鉢を真夏でも炎天下に曝す特殊な飼育法のため強烈な輻射熱から魚を守るという意味合いがある。また上面部に立ち上がりを付けることで地震発生時の水のこぼれや魚の散逸を防ぐことができる。
【考案の効果】
【０００５】  本考案は日照時間の長短による影響を考え、上面部の立ち上がりの調整でどのような設置場所でも良質な土佐錦魚が作り出せる形状を提示した。上面内径５７０ｍｍ、底面内径２００ｍｍは土佐錦魚稚魚期の泳ぎを決定づける重要な数値である。この数値より１００ｍｍ大きくても小さくても泳ぎに支障をきたす。側面傾斜４５°の擂鉢状を基本とし、最深部は２４５ｍｍである。また側面及び底面に湾曲をつけた。側面の湾曲は水量を確保することと魚が泳ぎや易くすることが大きな目的である。泳ぎを良くすることは良質な土佐錦魚を作る上で欠かせない要素である。また底面の湾曲は魚の糞が中央部の排水詮付近に集まり排水時に清掃を容易にすることを目的とした。更に上面には２０〜５０ｍｍの立ち上がりをつけている。２０ｍｍの立ち上がりは地震時の水のこぼれと魚の散逸を防ぐ為の必要最低の高さであり日当りの悪い場所での使用を目的としている。また５０ｍｍの立ち上がりは、日当りの良い場所での使用を目的とし、僅かな日陰を作る事で魚を直射から守るという意味合いがある。但し５０ｍｍ以上の立ち上がりは日陰を多く作ってしまう為、魚の泳ぎに悪影響を与え、許容範囲を超えてしまう。また鉢の外側には１５ｍｍ以上の厚さで保温材を取り付けることで急激な水温の上昇、下降を緩和している。土佐錦魚を丸鉢飼育する場合、その特徴である尾鰭の発育を促す為、エアレーションは行われない。そこで水質の悪化を防ぐ為には鉢内面の苔の働きが重要となってくる。この苔の活着を良くする為にＦＲＰなどの滑らかな材質を使用する場合は６０番より粗い目のヤスリで表面処理を施す。
【考案を実施するための最良の形態】  図面を用いて考案を実施するための最良の形態を説明する。図１は本考案の土佐錦魚飼育鉢の実施形態を示す縦断正面図、図２は上面図である。
【図面の簡単な説明】
【図１】  本考案の土佐錦魚飼育鉢実施形態を示す縦断正面図である。
【図２】  本考案の土佐錦魚飼育鉢実施形態を示す上面図である。
【手続補正書】
【提出日】平成18年12月8日(2006.12.8)
【手続補正１】
【補正対象書類名】実用新案登録請求の範囲
【補正対象項目名】全文
【補正方法】変更
【補正の内容】
【実用新案登録請求の範囲】
【請求項１】
形状において、
（１）  上面内径５７０ｍｍ、
（２）  底面内径２００ｍｍ、
（３）  側面は、上面と底面を結ぶ傾斜角４５°を基本とし、最大２０ｍｍの湾曲をつけ、
（４）  底面には中央部に排水詮を設け、清掃を容易にする為に最大１０ｍｍの湾曲をつけ、
（５）  上面に飼育場所の日当りにより、２０〜５０ｍｍの範囲で立ち上がりを付け、
（６）  最深部２４５ｍｍ、以上の構成からなる土佐錦魚飼育鉢。
【請求項２】
鉢内面において、モルタル以外の軟らかい材質（ＦＲＰ等）の場合は、
（１）  直径５ｃｍ、高さ３ｍｍ以内の小山状の突起を鉢内面にちらし、
（２）  目合い６０番よりも粗い目のヤスリで鉢内面全てをヤスリがけ、を特徴とする請求項１記載の土佐錦魚飼育鉢。
【請求項３】
鉢外面において、最低１５ｍｍの発泡ウレタン、フォームポリスチレン等の貼り付けによる保温効果を施された事を特徴とする請求項１記載の土佐錦魚飼育鉢。